【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
ポンプシステムであって、
ポンプ機構と、
前記ポンプ機構を駆動するためのモータと、
前記モータを制御するためのコントローラと、を含み、
前記コントローラは、前記モータの回転周波数の最大値及び前記モータ内の電流の最大値を設定し、ポンプシステムの性能を最適化するために、ポンプシステムの作動中、前記回転周波数の最大値及び前記電流の最大値を調整する、ポンプシステム。
【請求項２】
前記コントローラは、比較的高圧におけるポンプシステムの作動中、前記モータ内の電流の最大値を上昇させ、比較的低圧におけるポンプシステムの作動中、前記モータの回転周波数の最大値を上昇させるように構成される、請求項１に記載のポンプシステム。
【請求項３】
更に、前記モータに可変周波数電力を供給するためのインバータを有し、
前記コントローラは、ポンプシステムの作動中、前記モータに供給される可変周波数電力の振幅及び周波数を調整するように構成される、請求項１又は２に記載のポンプシステム。
【請求項４】
前記コントローラは、ポンプシステム内の１つ又は２つ以上の状態を検出するための少なくとも１つのセンサから入力を受取り、且つ、検出された状態に応じて、前記回転周波数の最大値及び前記電流の最大値の少なくとも一方を調整するように構成される、請求項１〜３のいずれか１項に記載のポンプシステム。
【請求項５】
前記少なくとも１つのセンサは、ポンプシステム内のガス圧力を指示する信号を供給するように構成され、
前記コントローラは、前記受取った信号に応じて、前記回転周波数の最大値及び前記電流の最大値の少なくとも一方を調整するように構成される、請求項４に記載のポンプシステム。
【請求項６】
前記コントローラは、前記ガス圧力が予め決められた第１の値よりも低いときに、前記モータ内の前記電流の最大値を調整するように構成される、請求項５に記載のポンプシステム。
【請求項７】
前記予め決められた第１の値は、１００ｍｂａｒよりも大きい、請求項６に記載のポンプシステム。
【請求項８】
前記コントローラは、前記ガス圧力が、前記予め決められた第１の値よりも小さい予め決められた第２の値よりも低いときに、前記モータの前記回転周波数のための最大値を調整するように構成される、請求項６又は７に記載のポンプシステム。
【請求項９】
前記予め決められた第２の値は、１ｍｂａｒ〜１００ｍｂａｒの範囲内にある、請求項８に記載のポンプシステム。
【請求項１０】
前記予め決められた第２の値は、１０ｍｂａｒ〜１００ｍｂａｒの範囲内にある、請求項９に記載のポンプシステム。
【請求項１１】
２つの前記センサがそれぞれ、ポンプシステム内の異なる圧力を検出するように構成され、
前記コントローラは、検出された異なる圧力の関係に応じて、前記回転周波数の最大値及び前記電流の最大値の少なくとも一方を調整するように構成される、請求項５に記載のポンプシステム。
【請求項１２】
前記少なくとも１つのセンサが、前記ポンプ機構に運ばれるガスの圧力を検出するように構成される、請求項５〜１１のいずれか１項に記載のポンプシステム。
【請求項１３】
前記少なくとも１つのセンサが、前記ポンプ機構のガス排出口の圧力を検出するように構成される、請求項５〜１２のいずれか１項に記載のポンプシステム。
【請求項１４】
更に、前記ポンプ機構によって圧縮されたガスを大気に選択的に放出するために前記ポンプ機構からの排出口と流体連通した圧力リリーフ弁を有し、
前記少なくとも１つのセンサが、前記圧力リリーフ弁の位置を検出するように構成され、
前記コントローラは、検出された位置に応じて、前記回転周波数の最大値及び前記電流の最大値の少なくとも一方を調整するように構成される、請求項５に記載のポンプシステム。
【請求項１５】
前記コントローラは、前記圧力リリーフ弁が開位置から閉位置に移動するときに、前記モータ内の前記電流の最大値を小さくするように構成される、請求項１４に記載のシステム。
【請求項１６】
前記圧力リリーフ弁は、前記ポンプ機構によって圧縮されたガスの圧力が大気圧よりも高いときに、前記閉位置から前記開位置まで移動させられるように構成される、請求項１４又は１５のいずれか１項に記載のポンプシステム。
【請求項１７】
前記少なくとも１つのセンサが、ポンプシステム内の温度を指示する信号を供給するように構成され、
前記コントローラは、前記受取った信号に応じて、前記回転周波数の最大値及び前記電流の最大値の少なくとも一方を調整するように構成される、請求項４に記載のポンプシステム。
【請求項１８】
前記コントローラは、前記温度が予め決められた第１の値よりも大きいときに前記モータ内の前記電流の最大値を調整するように構成される、請求項１７に記載のポンプシステム。
【請求項１９】
前記コントローラは、前記温度が前記予め決められた第１の値と異なる予め決められた第２の値よりも高いときに、前記モータの前記回転周波数の最大値を調整するように構成される、請求項１８に記載のポンプシステム。
【請求項２０】
２つの前記センサがそれぞれ、ポンプシステム内の異なる温度を検出するように構成され、
前記コントローラは、検出された異なる温度の関係に応じて、前記回転周波数の最大値及び前記電流の最大値の少なくとも一方を調整するように構成される、請求項１７に記載のポンプシステム。
【請求項２１】
前記少なくとも１つのセンサが、前記ポンプ機構からのガス排出口の温度を指示する信号を供給するように構成される、請求項１７〜２０のいずれか１項に記載のポンプシステム。
【請求項２２】
前記少なくとも１つのセンサが、前記ポンプ機構へのガス入口の温度を指示する信号を供給するように構成される、請求項１７〜２１のいずれか１項に記載のポンプシステム。
【請求項２３】
前記少なくとも１つのセンサが、前記ポンプ機構の温度を指示する信号を供給するように構成される、請求項１７〜２２のいずれか１項に記載のポンプシステム。
【請求項２４】
前記コントローラは、予め決められたタイミング関係に従って、前記回転周波数の最大値及び前記電流の最大値を設定することを特徴とする請求項１〜３のいずれか１項に記載のポンプシステム。
【請求項２５】
ポンプ機構及び前記ポンプ機構を駆動するためのモータを有するポンプシステムを制御する方法であって、
前記モータの回転周波数の最大値及び前記モータ内の電流の最大値を設定し、
ポンプシステムの作動中、前記回転周波数の最大値及び前記電流の最大値を調整して、ポンプシステムの性能を最適化する、方法。
【請求項２６】
比較的高圧でのポンプシステムの作動中、前記モータ内の前記電流の最大値を大きくし、比較的低圧でのポンプシステムの作動中、前記モータの前記回転周波数の最大値を大きくする、請求項２５に記載の方法。
【請求項２７】
前記ポンプシステムの作動中、前記モータに供給する電力の振幅及び周波数を調整する、請求項２５又は２６に記載の方法。
【請求項２８】
前記回転周波数の最大値及び前記電流の最大値の少なくとも一方を、ポンプシステムの１つ又は２つ以上の作動状態に応じて調整する、請求項２５〜２７のいずれ１項に記載の方法。
【請求項２９】
前記回転周波数の最大値及び前記電流の最大値の少なくとも一方を、ポンプシステム内の少なくとも１つのガス圧力に応じて調整する、請求項２８に記載の方法。
【請求項３０】
前記ガス圧力が予め決められた第１の値よりも低いとき、前記モータ内の前記電流のための最大値を小さくする、請求項２９に記載の方法。
【請求項３１】
前記予め決められた第１の値は、１００ｍｂａｒよりも大きい、請求項３０に記載の方法。
【請求項３２】
前記ガス圧力が、前記予め決められた第１の値よりも小さい予め決められた第２の値よりも低いとき、前記モータの前記回転周波数の最大値を大きくする、請求項３０又は３１に記載の方法。
【請求項３３】
前記予め決められた第２の値は、１ｍｂａｒ〜１００ｍｂａｒの範囲内にある、請求項３２に記載の方法。
【請求項３４】
前記予め決められた第２の値は、１０ｍｂａｒ〜１００ｍｂａｒの範囲内にある、請求項３３に記載の方法。
【請求項３５】
前記回転周波数の最大値及び前記電流の最大値の少なくとも一方を、ポンプシステム内の２つのガス圧力間の関係に応じて調整する、請求項２８に記載の方法。
【請求項３６】
前記少なくとも１つのガス圧力は、前記ポンプ機構に運ばれるガスの圧力である、請求項２９〜３５のいずれか１項に記載の方法。
【請求項３７】
前記少なくとも１つのガス圧力は、前記ポンプ機構からのガス排出口の圧力である、請求項２９〜３６のいずれか１項に記載の方法。
【請求項３８】
前記ポンプシステムは、圧力リリーフ弁を前記ポンプ機構の下流に有し、前記回転周波数の最大値及び前記電流の最大値の少なくとも一方を、前記圧力リリーフ弁の位置に応じて調整する、請求項２５〜３７のいずれか１項に記載の方法。
【請求項３９】
前記圧力リリーフ弁が開位置から閉位置に移動するとき、前記モータ内の前記電流の最大値を小さくする、請求項３８に記載の方法。
【請求項４０】
前記回転周波数の最大値及び前記電流の最大値の少なくとも一方を、ポンプシステムの少なくとも１つの温度に応じて調整する、請求項２８に記載の方法。
【請求項４１】
前記少なくとも１つの温度が予め決められた第１の値よりも高いとき、前記モータ内の前記電流の最大値を小さくする、請求項４０に記載の方法。
【請求項４２】
前記少なくとも１つの温度が、前記予め決められた第１の値と異なる予め決められた第２の値よりも高いとき、前記モータの前記回転周波数の最大値を大きくする、請求項４１に記載の方法。
【請求項４３】
前記回転周波数の最大値及び前記電流の最大値の少なくとも一方を、ポンプシステムの少なくとも２つの温度間の関係に応じて調整する、請求項４０に記載の方法。
【請求項４４】
前記少なくとも１つの温度が、前記ポンプ機構からのガス排出口の温度である、請求項４０〜４３のいずれか１項に記載の方法。
【請求項４５】
前記少なくとも１つの温度が、前記ポンプ機構の温度であることを特徴とする請求項４０〜４４のいずれか１項に記載の方法。
【請求項４６】
前記回転周波数の最大値及び前記電流の最大値を、予め決められたタイミング関係に従って調整する、請求項２５〜２７のいずれか１項に記載の方法。